(57)【特許請求の範囲】
【請求項１】
被処理水中の固形分を沈殿させる沈殿部と、前記沈殿部を通過した被処理水を上向流でろ過するろ過部とを備える沈殿池であって、
前記ろ過部は、沈殿池の深さ方向に延在する隔壁によって区画形成された複数の被処理水流路を備え、
前記被処理水流路は、複数のろ材よりなるろ材層と、前記ろ材層の上方に設けられて前記ろ材の流出を防止する上部スクリーンと、前記ろ材層で被処理水をろ過して得た処理水が流出する処理水流出部と、前記ろ材層を洗浄する際に曝気により前記ろ材層を撹拌するための気体噴出口とを備え、
沈殿池の深さ方向において、前記気体噴出口が、前記被処理水流路を区画形成する前記隔壁の下端よりも上側に位置し、
前記気体噴出口は、沈殿池への被処理水の流入口側あるいは流入口側と反対側の隔壁からの水平方向の距離が隣接する隔壁間の間隔の１／４以下の範囲内に設けられ、
前記被処理水流路は、水平方向に延在して前記気体噴出口の下側を覆う横板を前記気体噴出口の下側に更に備えることを特徴とする、沈殿池。
【請求項２】
沈殿池の深さ方向において、前記気体噴出口が、前記被処理水流路を区画形成する前記隔壁の下端よりも７０ｍｍ以上上側に位置することを特徴とする、請求項１に記載の沈殿池。
【請求項３】
沈殿池の深さ方向において、前記気体噴出口が、前記ろ材層の下端よりも下側に位置することを特徴とする、請求項１または２に記載の沈殿池。
【発明の詳細な説明】
【技術分野】
【０００１】
本発明は、沈殿池に関し、特に、下水処理場の最終沈殿池などとして好適に使用し得る沈殿池に関するものである。
【背景技術】
【０００２】
従来、下水処理場などでは、最初沈殿池、生物反応槽および最終沈殿池を備える水処理システムが用いられている。
【０００３】
ここで、近年、最初沈殿池や最終沈殿池などの沈殿池として、被処理水中の固形分を沈殿させる沈殿部と、沈殿部で固形分の一部を沈殿させた被処理水をろ過するろ過部とを備える沈殿池を用いることが提案されている。この沈殿部およびろ過部を備える沈殿池によれば、沈殿部において固形分の一部を沈殿させた被処理水をろ過部において更にろ過することができるので、固形分が十分に除去された処理水を得ることができる。
そして、当該沈殿池のろ過部としては、複数のろ材よりなるろ材層と、ろ材層の上方に配設されてろ材層を構成するろ材の流出を防止する上部スクリーンと、ろ材層の下方に配設されてろ材層を構成するろ材を支持する下部スクリーンとを有し、被処理水をろ材層に上向流で通水させることによりろ過を行うろ過部が用いられている（例えば、特許文献１，２参照）。
【先行技術文献】
【特許文献】
【０００４】
【特許文献１】特開平８−２５７５８５号公報
【特許文献２】国際公開第２０１２／１６１３３９号
【発明の概要】
【発明が解決しようとする課題】
【０００５】
ここで、ろ過部を備える上記従来の沈殿池では、通常、所定時間毎に、或いは、ろ過部の固液分離性能が低下した際にろ過部のろ材層の洗浄を実施する。そして、ろ材層の洗浄は、通常、ろ過部内に空気等の気体を噴き込み、気体の噴き込みにより生じる水流によってろ材層を構成するろ材を流動させることにより行う。
【０００６】
しかし、上記従来の沈殿池には、ろ過部内に気体を噴出させた際に十分に高速な水流を発生させることができず、ろ材を十分に流動させることができないという点において改善の余地があった。そのため、従来の沈殿池には、ろ材層の洗浄時に高速な水流を発生させて洗浄効率を高めることが求められていた。
【０００７】
一方、上記従来の沈殿池は、ろ過部のみならず沈殿部も備えている。そのため、上記従来の沈殿池には、ろ材層の洗浄時にろ過部において高速な水流を発生させて洗浄効率を高める一方で、ろ材層の洗浄時に発生する水流によって沈殿部の機能が損なわれないことも求められている。具体的には、沈殿池には、ろ材層の洗浄時に発生する水流に起因して沈殿部側に短絡流等が発生し、沈殿物が舞い上がるのを抑制することも求められている。
【０００８】
そこで、本発明は、沈殿部およびろ過部を備える沈殿池であって、沈殿部の機能の低下を抑制しつつろ過部を効率的に洗浄することが可能な沈殿池を提供することを目的とする。
【課題を解決するための手段】
【０００９】
この発明は、上記課題を有利に解決することを目的とするものであり、本発明の沈殿池は、被処理水中の固形分を沈殿させる沈殿部と、前記沈殿部を通過した被処理水を上向流でろ過するろ過部とを備える沈殿池であって、前記ろ過部は、沈殿池の深さ方向に延在する隔壁によって区画形成された複数の被処理水流路を備え、前記被処理水流路は、複数のろ材よりなるろ材層と、前記ろ材層の上方に設けられて前記ろ材の流出を防止する上部スクリーンと、前記ろ材層で被処理水をろ過して得た処理水が流出する処理水流出部と、前記ろ材層を洗浄する際に曝気により前記ろ材層を撹拌するための気体噴出口とを備え、沈殿池の深さ方向において、前記気体噴出口が、前記被処理水流路を区画形成する前記隔壁の下端よりも上側に位置することを特徴とする。このように、ろ過部に複数の被処理水流路を設ければ、ろ材層を洗浄する際に、隔壁によって区画された各被処理水流路において気体噴出口からの曝気により強力な旋回流を発生させ、ろ材層を効率的に洗浄することができる。また、各被処理水流路において、気体噴出口の位置を当該被処理水流路を形成する隔壁の下端の位置よりも上側にすれば、ろ材層の洗浄時に被処理水流路内で強力な旋回流を発生させた場合であっても、沈殿部において沈殿物が舞い上がるのを抑制し、沈殿部の機能の低下を抑制することができる。
ここで、本発明において、「沈殿池の深さ方向に延在する」とは、沈殿池の深さ方向に向かって延びていることを指し、「沈殿池の深さ方向に延在する」には、沈殿池の深さ方向に沿う方向（通常は鉛直方向）に延在している場合に加え、沈殿池の深さ方向に沿う方向に対して傾斜して延在している場合も含まれる。
【００１０】
ここで、本発明の沈殿池は、沈殿池の深さ方向において、前記気体噴出口が、前記被処理水流路を区画形成する前記隔壁の下端よりも７０ｍｍ以上上側に位置することが好ましい。気体噴出口と隔壁の下端との間の沈殿池の深さ方向に沿う距離が７０ｍｍ以上であれば、沈殿部において沈殿物が舞い上がるのを更に抑制し、沈殿部の機能の低下を十分に抑制することができるからである。
【００１１】
また、本発明の沈殿池は、沈殿池の深さ方向において、前記気体噴出口が、前記ろ材層の下端よりも下側に位置することが好ましい。気体噴出口がろ材層の下端よりも下側に位置していれば、ろ材層を構成するろ材を気体噴出口からの曝気により更に良好に流動させ、ろ材層を更に効率的に洗浄することができるからである。
ここで、本発明において、「ろ材層の下端」とは、被処理水のろ過を実施していない状態のろ材層の下端を指す。
【００１２】
そして、本発明の沈殿池は、前記被処理水流路は、水平方向に延在する横板を前記気体噴出口の下側に更に備えることが好ましい。このように、気体噴出口の下側に横板を設ければ、ろ材層の洗浄時に沈殿部において沈殿物が舞い上がるのを更に抑制し、沈殿部の機能の低下を十分に抑制することができるからである。
ここで、本発明において、「水平方向に延在する」とは、水平方向に向かって延びていることを指し、「水平方向に延在する」には、水平方向に沿う方向に延在している場合に加え、水平方向に沿う方向に対して傾斜して延在している場合も含まれる。
【発明の効果】
【００１３】
本発明の沈殿池によれば、沈殿部の機能の低下を抑制しつつろ過部を効率的に洗浄することができる。
【図面の簡単な説明】
【００１４】
【図１】本発明に従う沈殿池の一例の概略構成を示す図であり、（ａ）は平面図、（ｂ）は図１（ａ）のＡ−Ａ線に沿う断面図である。
【図２】図１に示す沈殿池について、ろ過部のろ材層を洗浄している際の水流の様子を図１（ａ）のＡ−Ａ線に沿う断面で示す説明図である。
【図３】図１に示す沈殿池の変形例について、ろ過部のろ材層を洗浄している際の水流の様子を断面で示す説明図である。
【図４】比較例の沈殿池について、ろ過部のろ材層を洗浄している際の水流の様子を断面で示す説明図である。
【発明を実施するための形態】
【００１５】
以下、本発明の実施の形態を、図面に基づき詳細に説明する。なお、各図において、同一の符号を付したものは、同一の構成要素を示すものとする。
【００１６】
（沈殿池）
ここで、本発明の沈殿池は、特に限定されることなく、例えば下水処理場において生物反応槽の後段側に設けられる最終沈殿池として用いることができる。そして、本発明の沈殿池の一例は、例えば図１に示すような概略構成を有している。
【００１７】
具体的には、図１（ａ）に平面図を示し、図１（ｂ）に図１（ａ）のＡ−Ａ線に沿う断面図を示すように、本発明の一例の沈殿池１は、被処理水中の固形分を沈殿させる沈殿部２と、沈殿部２の後段側に設けられて沈殿部２を通過した被処理水を上向流でろ過するろ過部３とを備えている。また、沈殿池１のろ過部３には、ろ過部３で被処理水をろ過して得た処理水が流れる処理水流路４と、ろ過部３に設けられたろ材層３５を洗浄した際に排出される洗浄排水が流れる洗浄排水流路（図示せず）とが設けられている。そして、沈殿池１では、沈殿部２において固形分の一部を沈殿させた被処理水をろ過部３において更にろ過することにより、固形分が十分に除去された処理水を得ることができる。
なお、沈殿池１においては、ろ過部３の下側に位置する部分も被処理水中の固形分を沈殿させる沈殿部２として機能する。
【００１８】
＜沈殿部＞
ここで、沈殿部２は、特に限定されることなく、被処理水中の固形分を重力沈降により沈降させて被処理水から固形分を分離する横流式沈殿槽よりなる。そして、沈殿部２の底部には、固形分排出弁２２を有する固形分排出配管２１が設けられており、沈殿部２で沈殿した固形分は、固形分排出配管２１に設けられた固形分排出弁２２を、例えば所定の開度で常時開いておく、或いは、所定時間毎に開くことにより、沈殿池１から排出されて処理される。
なお、沈殿部２は、固形分の沈降を促進する傾斜板や、底部に沈殿した固形分を掻き寄せる往復式掻寄機などを備えていてもよい。
【００１９】
＜ろ過部＞
ろ過部３は、沈殿部２において固形分の一部を沈殿させた被処理水を上向流でろ過するろ過槽よりなる。そして、ろ過部３は、図１（ａ）および（ｂ）に示すように、沈殿池１の図１（ａ）では上下に位置する側壁間に亘って設けられ、且つ、沈殿池１の深さ方向（図１（ｂ）では上下方向）に延在する複数（図示例では４枚）の隔壁３１によって区画形成された複数（図示例では４つ）の被処理水流路３０を備えている。そして、沈殿池１では隔壁３１の下端よりも上側がろ過部３となる。
なお、ろ過部３の長さ（図１（ａ）および（ｂ）では左右方向の長さ）は、特に限定されることなく、沈殿池１の全長の１／４以上３／４以下とすることができる。
【００２０】
ここで、各被処理水流路３０は、隔壁３１と沈殿池１の壁面とによって囲まれた領域であり、被処理水は、各被処理水流路３０に上向流で通水される。そして、各被処理水流路３０は、被処理水流路３０内に充填された複数のろ材よりなるろ材層３５と、ろ材層３５の上方に設けられた上部スクリーン３３と、ろ材層３５の下方に設けられた下部スクリーン３４と、ろ材層３５で被処理水をろ過して得た処理水が処理水流路４へと流出する処理水流出部３２とを備えている。更に、各被処理水流路３０は、曝気により生じる旋回流を用いてろ材層３５を撹拌洗浄する際に使用する曝気管（図示せず）の気体噴出口３６と、気体噴出口３６の下側に設けられた横板３７とを備えている。
【００２１】
各隔壁３１は、沈殿池１の深さ方向（鉛直方向）に沿う方向に延在している。そして、各隔壁３１は、沈殿池１の底面から離隔させて設けられており、被処理水流路３０と沈殿部２とは沈殿池１の下部で連通している。また、沈殿池１の深さ方向において、各隔壁３１の上端は水面よりも上側に位置しており、各隔壁３１の下端は気体噴出口３６よりも下側に位置している。
なお、隔壁３１は、特に限定されることなく、仕切り板やコンクリート壁を用いて形成することができる。
【００２２】
処理水流出部３２は、処理水が被処理水流路３０内から処理水流路４へと越流する部分であり、図１に示す例では、上部スクリーン３３よりも上側に位置している。
【００２３】
上部スクリーン３３は、ろ材層３５を構成するろ材が被処理水流路３０から流出するのを防止する。また、下部スクリーン３４は、ろ材層３５を構成するろ材が被処理水流路３０内から下方へと落下または流出するのを防止する。具体的には、下部スクリーン３４は、ろ材層を構成するろ材を被処理水流路３０内に充填する際にろ材が下方に落下するのを防止したり、沈殿部２において沈殿した固形分を固形分排出配管２１を介して排出する際に生じる下向流によりろ材が被処理水流路３０内から流出するのを防止したりする。
なお、上部スクリーン３３および下部スクリーン３４としては、ろ材層３５を構成するろ材よりも開孔径が小さいスクリーンであれば特に限定されることなく、パンチングメタルや金網などの既知のスクリーンを使用することができる。
【００２４】
上部スクリーン３３と下部スクリーン３４との間に設けられたろ材層３５は、例えばろ材層３５を構成する複数のろ材を被処理水流路３０内の下部スクリーン３４上に充填して形成されている。
ここで、ろ材層３５を構成するろ材としては、特に限定されることなく、例えば樹脂製のろ材を用いることができる。そして、ろ材としては、任意の形状のろ材を用いることができるが、筒状のろ材を用いることが好ましい。筒状のろ材を用いてろ材層３５を構成した場合、ランダムに充填された筒状のろ材の中空部およびろ材間の隙間を被処理水が通過する際に、各筒状のろ材やろ材間の隙間が小さな傾斜板沈殿装置のように機能して被処理水中の固形分がろ材層３５でより良好に分離されるからである。また、ろ材としては、沈降性ろ材（即ち、静止した被処理水中で沈降するろ材）と、浮上ろ材（即ち、静止した被処理水中で浮くろ材）との何れを用いてもよいが、図１（ｂ）に示すように、被処理水の通水中には浮く程度の比重を有するろ材を用いることが好ましく、比重が１．０未満の浮上ろ材を用いることがより好ましい。なお、ろ材として浮上ろ材を使用する場合には、被処理水流路３０内に水を貯留した状態でろ材を投入することにより被処理水流路３０内にろ材を充填することができるので、下部スクリーン３４は設けなくてもよい。
【００２５】
気体噴出口３６を有する曝気管は、被処理水流路３０外に設けられたブロア（図示せず）等の空気供給源に接続されている。そして、気体噴出口３６を有する曝気管とブロアとは、気体としての空気の曝気により生じる旋回流を用いてろ材層３５を撹拌洗浄する曝気装置として機能する。なお、曝気管とブロアとの接続部には、ろ過中に被処理水が逆流するのを防止するための空気配管弁（図示せず）が設けられている。
【００２６】
そして、沈殿池１のろ過部３の各被処理水流路３０では、気体噴出口３６は、ろ過部３を区画して当該被処理水流路３０を形成する隔壁３１の下端よりも上側に位置している。また、気体噴出口３６は、沈殿池１の長さ方向（図１（ａ）および（ｂ）では左右方向）に見て、各被処理水流路３０の中央よりも沈殿池１への被処理水の流入口側（図１（ｂ）では左側）に設けられている。
【００２７】
また、各被処理水流路３０では、気体噴出口３６の下側に設けられた横板３７は、水平方向に沿う方向に延在しており、被処理水流路３０の下側の開口部の全面を塞ぐことなく気体噴出口３６の下側を覆っている。具体的には、沈殿池１では、横板３７は、被処理水流路３０の中央よりも沈殿池１への被処理水の流入口側に設けられている気体噴出口３６の下側を覆うように、一端を沈殿池１への被処理水の流入口側の隔壁３１の下端に接続させて設けられている。
【００２８】
そして、上述した構成を有する沈殿池１のろ過部３では、以下のようにして被処理水のろ過およびろ材層３５の洗浄が実施される。なお、ろ材層３５の洗浄は、特に限定されることなく、例えば予め定めた所定の時間が経過した際に実施することができる。
【００２９】
即ち、沈殿池１では、曝気管とブロアとの接続部に設けられた空気配管弁を閉じ、ブロアを停止させた状態で被処理水を被処理水流路３０に上向流で通水することにより、被処理水をろ過する。そして、被処理水流路３０内に設けられたろ材層３５で被処理水をろ過して得た清浄な処理水は、処理水流出部３２および処理水流路４を介して外部（例えば、処理水槽など）へと送水される。
【００３０】
従って、上述した沈殿部２およびろ過部３を備える沈殿池１によれば、沈殿部２において固形分の一部を沈殿させた被処理水をろ過部３において更にろ過することができるので、固形分が十分に除去された処理水を得ることができる。
【００３１】
また、沈殿池１では、曝気管とブロアとの接続部に設けられた空気配管弁を開き、ブロアを運転させた状態で洗浄水としての被処理水を各被処理水流路３０に上向流で通水することにより、ろ材層３５を撹拌洗浄する。そして、ろ材層３５を洗浄中のろ過部３では、ブロアおよび曝気管を介して気体噴出口３６から各被処理水流路３０内に供給された空気により旋回流が発生し、ろ材層３５を構成するろ材が流動して分散する。即ち、ろ過部３では、ブロアと、気体噴出口３６を有する曝気管とが曝気によりろ材層３５を撹拌する曝気装置として機能する。その結果、ろ過部３では、ろ材層３５に捕捉されていた固形分がろ材層３５から除去される。なお、ろ材層３５から除去された固形分を含む洗浄排水は、洗浄排水流路（図示せず）を介して外部（例えば、洗浄排水処理装置など）へと送水される。
【００３２】
ここで、隔壁３１を設けてろ過部３を複数の被処理水流路３０に区画しない場合には、広いろ過部３に対して曝気により強力な旋回流を起こすことは困難である。しかし、上述した沈殿池１では、隔壁３１を設けてろ過部３を複数の被処理水流路３０に区画し、各被処理水流路３０に設けられた気体噴出口３６から曝気しているので、各被処理水流路３０内に高速で強力な旋回流を容易に発生させることができる。従って、沈殿池１では、高速で強力な旋回流によってろ材層３５を構成するろ材を十分に流動させ、ろ材層３５を効率的に洗浄することができる。その結果、ろ材層３５の洗浄に要する時間を短時間化し、また、ろ材層３５の洗浄時に排出する洗浄排水の量を低減することができるので、処理水の回収率（＝（得られた処理水量／沈殿池に流入した被処理水量）×１００％）も高めることができる。
【００３３】
また、隔壁３１によりろ過部３を区画して形成した被処理水流路３０毎に気体噴出口３６を設けて高速で強力な旋回流を発生させる場合、気体噴出口３６の位置を隔壁３１の下端よりも下側にすると、短絡流などの発生により沈殿部２において沈殿物が舞い上がり、沈殿部２の沈殿機能自体も失われる虞がある。具体的には、例えば図４に隔壁３１の下端よりも下側に気体噴出口３６を配設した沈殿池１Ｂにおいてろ材層を洗浄した際の水流の様子を矢印で示すように、隔壁３１の下端よりも下側に気体噴出口３６を配設すると、曝気により矢印ｂ，ｃ，ｄ，ｅで示される旋回流を被処理水流路３０Ｂ内に発生させた際に、水流ｂの一部となる水流ａは１８０度の方向から水を獲得する。ここで、沈殿池へ流入する被処理水の流量および沈殿池から流出する処理水の流量は互いに等しく、水流ａと水流ｆとの差になる。また、曝気量が一定であれば水流ｂの大きさも一定となるところ、水流ｂの大きさは水流ａと水流ｅの和であるから、水流ａが大きくなれば水流ｄから転じられる水流ｅの大きさは水流ｂの大きさに比べて無視できるほどに小さくなる。そのため、矢印ｂ，ｃ，ｄ，ｅで示される旋回流はほぼ形成できない。それに対して、被処理水量が一定の条件下では水流ａと水流ｆとの差は一定なので、水流ａが大きいと、水流ｆも大きくなる。つまり、沈殿部２とろ過部３との間の水交換が激しくなり、それによって、すでに沈殿した固形分の舞い上がりが激しく生じて、沈殿部２の沈殿機能自体も失われる。
しかし、上述した沈殿池１では、隔壁３１の下端よりも上側に気体噴出口３６を設けているので、ろ材層３５を洗浄した際の水流の様子を図２に矢印で示すように、水流ａが１８０度の方向から水を獲得することがなく、水流ａの大きさは小さく（沈殿池１への被処理水の流入量にほぼ等しく）なる。その結果、水流ｄから転じられる水流ｅの大きさが大きくなり、矢印ｂ，ｃ，ｄ，ｅで示される旋回流が良好に形成される。また、被処理水量が一定の条件下では水流ａと水流ｆとの差は一定なので、水流ａが小さいと、水流ｆも小さくなる。その結果、沈殿部２とろ過部３との間の水交換が大幅に抑えられ、沈殿部２における沈殿物の舞い上がりを防止することができ、沈殿部２の沈殿機能の低下を抑制しつつ、旋回流による効率なろ過部３の洗浄を実現できる。
【００３４】
なお、図１および２に示す沈殿池１では、気体噴出口３６を被処理水流路３０の中央よりも沈殿池１への被処理水の流入口側に設けているが、本発明の沈殿池では、気体噴出口を被処理水流路の中央よりも沈殿池１への被処理水の流入口側とは反対側に設けても、沈殿部２の機能の低下を抑制しつつ、高速で強力な旋回流によってろ過部３を効率的に洗浄することができる。具体的には、気体噴出口を被処理水流路の中央よりも沈殿池１への被処理水の流入口側とは反対側に設けた場合には、下方への水流ｆが沈殿池１への被処理水の流入口側に位置すると共に気体噴出口３６および上方への水流ａの位置が沈殿池１への被処理水の流入口から離れるので、沈殿部２のうちの沈殿池１への被処理水の流入口側に位置する部分における沈殿物の舞い上がりを防止することができる。また、ろ過部にて旋回流を起こすためという観点からは、気体噴出口３６は、被処理水流路３０の中央よりも沈殿池１への被処理水の流入口側あるいは流入口側と反対側に設けることが好ましく、沈殿池１への被処理水の流入口側あるいは流入口側と反対側の隔壁３１からの水平方向の距離が隣接する隔壁３１間の間隔の１／４以下の範囲内に設けることがより好ましく、隔壁３１に沿わせて設けることが好ましい。
【００３５】
更に、本発明の沈殿池では、図３に示す沈殿池１Ａのように各気体噴出口３６の下側に横板３７を設けなくてもよいが、図１および図２に示す沈殿池１では、各気体噴出口３６の下側に横板３７を設けているので、ろ材層を洗浄した際の水流の様子を図３に矢印で示す沈殿池１Ａと比較し、沈殿物の舞い上がりを更に抑制することができると共に、より強力で高速な旋回流によってろ過部３を効率的に洗浄することができる。具体的には、図３に示すような横板３７を設けていない沈殿池１Ａでは、水流ｂの一部となる水流ａは９０度の方向から水を獲得する。そのため、水流ａの大きさは図１および図２に示す沈殿池１よりも大きくなり、その結果、水流ｄから転じられる水流ｅの大きさが図１および図２に示す沈殿池１よりも小さくなる。また、被処理水量が一定の条件下では水流ａと水流ｆとの差は一定なので、水流ａが大きいと、水流ｆも大きくなる。その結果、図３に示すような横板３７を設けていない沈殿池１Ａでは、沈殿部２とろ過部３との間の水交換が図１および図２に示す沈殿池１よりも大きくなり、すでに沈殿した固形分の舞い上がりが生じる虞がある。一方、横板３７を設けた沈殿池１では、ろ材層を洗浄した際の水流の様子を図２に示すように、横板３７が邪魔板のように機能するため、図３に示す沈殿池１Ａと比較して、水流ｄから転じられる水流ｅの大きさが大きくなり、矢印ｂ，ｃ，ｄ，ｅで示される旋回流の流速が早くなる一方で水流ａが小さくなる。その結果、横板３７を設けた沈殿池１では、沈殿部２とろ過部３との間の水交換が大幅に抑えられ、沈殿部２における沈殿物の舞い上がりを防止することができるので、沈殿部２の沈殿機能の低下を抑制しつつ、旋回流による効率なろ過部３の洗浄を実現できる。
【００３６】
以上、一例を用いて本発明の沈殿池について説明したが、本発明の沈殿池は、上記一例に限定されることはなく、本発明の沈殿池には、適宜変更を加えることができる。
【００３７】
具体的には、上記一例の沈殿池１では各被処理水流路３０内において気体噴出口３６の位置を一箇所としたが、本発明の沈殿池では、旋回流を発生させることができれば気体噴出口は複数の位置に設けてもよい。
【００３８】
また、上記一例の沈殿池１では横板３７を隔壁３１の下端に隔壁３１と一体的に設けたが、本発明の沈殿池では、横板３７の設置位置および設置方法は、気体噴出口の下側を覆うことができれば任意の設置位置および設置方法とすることができる。
【００３９】
更に、旋回流によりろ材層３５を効率的に洗浄する観点からは、被処理水のろ過を実施していない状態のろ材層３５の厚みは、例えば５００ｍｍ以上９００ｍｍ以下とすることが好ましい。
【００４０】
また、ろ材層３５を洗浄する際にろ材が流動するスペースを十分に確保してろ材層３５を効率的に洗浄する観点からは、上部スクリーン３３と下部スクリーン３４との間の沈殿池１の深さ方向の距離は、ろ材層３５の厚みよりも２００ｍｍ以上大きいことが好ましい。
【００４１】
更に、各被処理水流路３０内に高速で強力な旋回流を発生させる観点からは、隔壁３１の配設間隔は、２０００ｍｍ以下とすることが好ましく、１０００ｍｍ以下とすることがより好ましい。
【００４２】
また、沈殿物の舞い上がりを十分に抑制する観点からは、気体噴出口３６は、隔壁３１の下端よりも７０ｍｍ以上上側に位置させることが好ましい。即ち、気体噴出口３６と隔壁３１の下端との間の沈殿池１の深さ方向の距離は７０ｍｍ以上であることが好ましい。更に、ろ材層３５を洗浄する際に広い範囲に亘って旋回流を形成してろ材を良好に流動させる観点からは、気体噴出口３６は、ろ材層３５の下端よりも下側に位置させることが好ましく、沈殿池１の深さ方向に見て、ろ材層３５の下端からの距離が１７０ｍｍ以上３００ｍｍ以下の範囲内に位置させることがより好ましい。
【００４３】
更に、各被処理水流路３０内に高速で強力な旋回流を発生させる観点からは、各被処理水流路３０内における気体噴出口３６からの曝気量は、１０Ｎｍ3／時間／ｍ2以上１４Ｎｍ3／時間／ｍ2以下とすることが好ましい。
【実施例】
【００４４】
以下、本発明について実施例を用いて更に詳細に説明するが、本発明はこれら実施例に限定されるものではない。
【００４５】
（実施例１）
図３に示す沈殿池１Ａ（横板３７を有さない以外は図１に示す沈殿池１と同様の構成を有する沈殿池）を使用し、以下の条件でろ材層の洗浄を実施した際の沈殿部からの沈殿物の巻き上がりの有無および洗浄前後でのろ過部における損失水頭の大きさの差（洗浄前−洗浄後）を評価および測定した。結果を表１に示す。
なお、使用した沈殿池１Ａの詳細な仕様は、以下の通りである。また、沈殿物の巻き上がりの有無は、目視により行った。
・沈殿池の寸法：８ｍ×１．５ｍ×３．７ｍ
・隔壁の配設間隔：５００ｍｍ
・ろ材層の厚み：７００ｍｍ
・上部スクリーンと下部スクリーンとの間の距離：９００ｍｍ
・気体噴出口の位置：隔壁の下端から上方へ１００ｍｍ
ろ材層の下端から下方へ３００ｍｍ
被処理水の流入口側の隔壁から右方へ１５０ｍｍ
・被処理水流量：１２．４ｍ3／時間
・曝気量：１２Ｎｍ3／時間／ｍ2
・水面積負荷：２５ｍ3／ｍ2／日
・水面積：１２ｍ2
・ろ材層の面積：３ｍ2
【００４６】
（比較例１）
図４に示す沈殿池１Ｂ（隔壁３１の長さを変更して気体噴出口３６を隔壁３１の下端よりも下側に設けた沈殿池）を使用し、実施例１と同様にして沈殿部からの沈殿物の巻き上がりの有無および洗浄前後でのろ過部における損失水頭の大きさの差（洗浄前−洗浄後）を評価および測定した。結果を表１に示す。
なお、使用した沈殿池１Ｂの詳細な仕様は、以下の通りである。
・沈殿池の寸法：８ｍ×１．５ｍ×３．７ｍ
・隔壁の配設間隔：５００ｍｍ
・ろ材層の厚み：７００ｍｍ
・上部スクリーンと下部スクリーンとの間の距離：９００ｍｍ
・気体噴出口の位置：隔壁の下端から下方へ１００ｍｍ
ろ材層の下端から下方へ３００ｍｍ
被処理水の流入口側の隔壁の位置から右方へ１５０ｍｍ
・被処理水流量：１２．４ｍ3／時間
・曝気量：１２Ｎｍ3／時間／ｍ2
・水面積負荷：２５ｍ3／ｍ2／日
・水面積：１２ｍ2
・ろ材層の面積：３ｍ2
【００４７】
【表１】
0006437857.tif 000002
【００４８】
表１より、実施例１の沈殿池では、比較例１の沈殿池に比べ、沈殿部の沈殿機能の低下を抑制しつつろ過部を効率的に洗浄することができることが分かる。
【産業上の利用可能性】
【００４９】
本発明によれば、沈殿部およびろ過部を備える沈殿池であって、沈殿部の機能の低下を抑制しつつろ過部を効率的に洗浄することが可能な沈殿池を提供することができる。
【符号の説明】
【００５０】
１，１Ａ，１Ｂ  沈殿池
２  沈殿部
３，３Ａ，３Ｂ  ろ過部
４  処理水流路
２１  固形分排出配管
２２  固形分排出弁
３０，３０Ａ，３０Ｂ  被処理水流路
３１  隔壁
３２  処理水流出部
３３  上部スクリーン
３４  下部スクリーン
３５  ろ材層
３６  気体噴出口
３７  横板
【図１】
0006437857.tif 000003
【図２】
0006437857.tif 000004
【図３】
0006437857.tif 000005
【図４】
0006437857.tif 000006